(57)【要約】      （修正有）【課題】特定のエレベータのみがサービス可能な段違い階及び中抜け階と、全てのエレベータがサービス可能な共通階とからなるビルにおける共通階に対するサービスを低下することなく段違い階や中抜け階に対するサービスを向上させる。【解決手段】各階の乗場（エレベータホール）で段違い階方向や中抜け階方向の乗場呼びが登録される（１５）と、乗場呼び発生階から段違い階や中抜け階までの階数やエレベータの交通需要量やエレベータの平均応答時間等に基づいて、該当乗場呼を段違い階や中抜け階をサービスするエレベータに割当て（２０）ている。【選択図】図２
2006160510.tif 000002
【特許請求の範囲】
【請求項１】
特定のエレベータのみがサービス可能な段違い階及び中抜け階と、全てのエレベータがサービス可能な共通階とからなる複数の階に対して複数台のエレベータを就役させるとともに、各階で発生した乗場呼びを割当制御部によって最適のエレベータに割当て、該当エレベータを該当乗場呼び発生階へ向かわせるエレベータの群管理制御装置において、
前記各階で発生した乗場呼びのうち段違い階方向又は中抜け階方向の乗場呼びを検出する乗場呼び検出手段と、
この乗場呼び検出手段で検出された乗場呼びの発生階から段違い階又は中抜け階までの階数が所定階数以内かを判定する階数判定手段と、
この階数判定手段が所定階数以内と判定したとき、前記乗場呼び検出手段で検出された乗場呼びを前記特定のエレベータに割当てる指示を前記割当制御部に行う特定エレベータ割当指示手段と
を備えたことを特徴とするエレベータの群管理制御装置。
【請求項２】
特定のエレベータのみがサービス可能な段違い階及び中抜け階と、全てのエレベータがサービス可能な共通階とからなる複数の階に対して複数台のエレベータを就役させるとともに、各階で発生した乗場呼びを割当制御部によって最適のエレベータに割当て、該当エレベータを該当乗場呼び発生階へ向かわせるエレベータの群管理制御装置において、
少なくとも乗場呼びの発生頻度及び乗場呼びに対するエレベータの応答時間に基づくエレベータの現在時点の交通需要量を算出し、この現在時点の交通需要量が所定交通需要量以内かを判定する交通需要量判定手段と、
前記各階で発生した乗場呼びのうち段違い階方向又は中抜け階方向の乗場呼びを検出する乗場呼び検出手段と、
この乗場呼び検出手段が乗場呼びを検出したときにおいて、前記交通需要量判定手段が所定交通需要量以内と判定した場合、前記乗場呼び検出手段で検出された乗場呼びを前記特定のエレベータに割当てる指示を前記割当制御部に行う特定エレベータ割当指示手段と
を備えたことを特徴とするエレベータの群管理制御装置。
【請求項３】
特定のエレベータのみがサービス可能な段違い階及び中抜け階と、全てのエレベータがサービス可能な共通階とからなる複数の階に対して複数台のエレベータを就役させるとともに、各階で発生した乗場呼びを割当制御部によって最適のエレベータに割当て、該当エレベータを該当乗場呼び発生階へ向かわせるエレベータの群管理制御装置において、
前記各階で発生した乗場呼びのうち段違い階方向又は中抜け階方向の乗場呼びを検出する乗場呼び検出手段と、
この乗場呼び検出手段が乗場呼びを検出したとき、前記特定のエレベータにおける自己に割当て済みの全乗場呼びに対する平均応答時間を算出する平均応答時間算出手段と、
この平均応答時間算出手段で算出された平均応答時間が所定平均応答時間以内の場合、前記乗場呼び検出手段で検出された乗場呼びを前記特定のエレベータに割当てる指示を前記割当制御部に行う特定エレベータ割当指示手段と
を備えたことを特徴とするエレベータの群管理制御装置。
【請求項４】
前記平均応答時間算出手段で算出された平均応答時間が所定平均応答時間を超える場合、この平均応答時間が所定平均応答時間以内になるまで、前記特定のエレベータにおける自己に割当て済みの段違い階方向又は中抜け階方向以外の乗場呼びを前記特定のエレベータ以外のエレベータに割当変更する指示を前記割当制御部に行う割当変更手段を備えたことを特徴とする請求項３記載のエレベータの群管理制御装置。
【請求項５】
前記割当変更手段にて割当変更された乗場呼びの発生階に対して割当変更を報知する割当変更報知手段を備えたことを特徴とする請求項４記載のエレベータの群管理制御装置。
【請求項６】
特定のエレベータのみがサービス可能な段違い階及び中抜け階と、全てのエレベータがサービス可能な共通階とからなる複数の階に対して複数台のエレベータを就役させるとともに、各階で発生した乗場呼びを割当制御部によって最適のエレベータに割当て、該当エレベータを該当乗場呼び発生階へ向かわせるエレベータの群管理制御装置において、
前記各階で発生した段違い階方向又は中抜け階方向の乗場呼びの発生回数に対する、該当乗場呼びに応答したエレベータにおける段違い階又は中抜け階のかご呼びの発生回数の割合を示すかご呼び登録率を曜日、時間帯毎に学習して記憶するかご呼び登録学習手段と、
前記各階で発生した乗場呼びのうち段違い階方向又は中抜け階方向の乗場呼びを検出する乗場呼び検出手段と、
この乗場呼び検出手段が乗場呼びを検出したときにおいて、前記かご呼び登録学習手段に記憶された現在の曜日、時間帯におけるかご呼び登録率が所定かご呼び登録率を超える場合、前記乗場呼び検出手段で検出された乗場呼びを前記特定のエレベータに割当てる指示を前記割当制御部に行う特定エレベータ割当指示手段と
を備えたことを特徴とするエレベータの群管理制御装置。
【請求項７】
前記特定エレベータ割当指示手段にて段違い階方向又は中抜け階方向の乗場呼びが割当てられた特定のエレベータに対する、新規発生した段違い階方向又は中抜け階方向以外の乗場呼びの割当禁止の指示を前記割当制御部に行う割当禁止手段を備えたことを特徴とする請求項１から６のいずれか１項記載のエレベータの群管理制御装置。
【発明の詳細な説明】
【技術分野】
【０００１】
本発明は、複数台のエレベータを制御するエレベータの群管理制御装置に係わり、特にエレベータによってサービス可能な階が異なる条件のビルに設置されたエレベータの群管理制御装置に関する。
【背景技術】
【０００２】
一般に、複数のエレベータが設置され群管理制御運転が行なわれているビルにおいて、各階の乗場（エレベータホール）に設置された乗場呼び釦のボタン操作で上方又は下方の乗場呼びが登録されると、複数台のエレベータの中からその時点で最適なエレベータが選択され、該当乗場呼びが割当てられる。
【０００３】
ビルによっては、例えば図１４に示すように、建設上の理由や、コンピュータや金庫等が有り、該当階に行く人が制限される特定階の存在等の理由から群管理エレベータのサービス階が不揃いとなっているものがある。この明細書においては、全てのエレベータ（図１４においてはａ号機〜ｃ号機）がサービス可能な階を共通階１と呼び（図１４においては１Ｆ〜３Ｆ、５Ｆ〜８Ｆ）、特定のエレベータ（ｂ号機、ｃ号機）のみがサービス可能な階（Ｂ１（地下１階））を段違い階２、別の特定のエレベータ（ｃ号機）のみがサービス可能な階（４Ｆ）を中抜け階３と呼ぶ。
【０００４】
このような段違い階２、中抜け階３があるビルのａ、ｂ、ｃの各号機のエレベータの動作を制御するエレベータの群管理制御装置が組込まれたエレベータシステムは図１５に示すように構成されている。
【０００５】
各階の乗場呼び釦４に接続された乗場呼び入出力部５は低速伝送路６を介して群管理制御部７に接続されている。この群管理制御部７は低速伝送路６及び高速伝送路１０を介して各運転制御部８ａ、８ｂ、８ｃに接続されている。各運転制御部８ａ、８ｂ、８ｃは、ａ号機、ｂ号機、ｃ号機の各エレベータ９ａ、９ｂ、９ｃを個別に運転制御する。各エレベータ９ａ、９ｂ、９ｃ内にはかご呼び釦１２が取付けられている。
【０００６】
図１５において、例えば８階の乗客１1ａが４階（４Ｆ）に行こうとして、８階の下方乗場呼び釦４を押したとすると、乗場呼び入出力部５は低速伝送路６を介して群管理制御部７に乗場呼びの信号を送出する。群管理制御部７はその乗場呼びが入力されると、各エレベータ９ａ〜９ｃの現在位置の検出により予め決められた階間の走行時間やドア開閉時間などの基礎データを基に乗場呼び発生階への予測到着時間（応答時間）を演算し、この演算結果に基いて所定の評価を行ない、最適なエレベータに８階の乗場呼びを割当てる。
【０００７】
そして、例えば最適なエレベータが運転制御部８ｃに係るエレベータ９ｃ（ｃ号機）であったとすると、群管理制御部７は運転制御部８ｃに高速伝送路１０を介して割当指令を送出し、この割当指令に基いて、８階の乗場（エレベータホール）のｃ号機のドア付近に設置された到着予報ランタン（図示せず）を点灯させる。
【０００８】
この到着予報ランタンの点灯により、８階で待っている乗客１１ａは、複数のドアのうち、ｃ号機のエレベータ９ｃのドア前で待機していればよいことが分かる。更に、ｃ号機のエレベータ９ｃが到着する直前になると、チャイム（図示せず）の鳴動と共に前記到着予報ランタンを点滅させる。該当エレベータ９ｃが到着するとドアを開けて乗客１１ａを乗車させる。乗客１１ａは、エレベータ９ｃ内のかご呼び釦１２で４階を登録することで、４階までエレベータ９ｃが走行し、４階でドアを開く。よって、乗客１１ａは、目的階（４Ｆ）に降車することができる。
【０００９】
前記の通り８階の下方乗場呼びに対してｃ号機のエレベータ９ｃが割当てられた場合は問題ないが、ａ号機あるいはｂ号機が割当てられた場合には、乗客１１ａは、５階で降りて、再度５階の下方乗場呼び釦４を押してｃ号機が割当てられるまで待つか、あるいは階段を利用するなどの不都合が生じる。また、例えば３階の乗客１１ｂが地下１階（Ｂ１）に行く場合にも同様なことが発生する。
【００１０】
そこで、このような問題を解決するために、例えば特許文献１や特許文献２に示されたエレベータの制御装置が提案されている。
【００１１】
特許文献１には、ビルの各階の乗場（エレベータホール）に、段違い階利用の押し釦を設け、この釦の操作時には段違い階をサービスするエレベータを割当てる技術が開示されている。
【００１２】
特許文献２には、利用者が段違い階に行きたい場合には、段違い階をサービスするエレベータグループ側の乗場呼び釦を所定時間連続して操作すると、段違い階をサービスするエレベータを割当てる技術が開示されている。
【特許文献１】特開昭６１−２５４４７６号公報
【特許文献２】特開平１０−２５８９７３号公報
【発明の開示】
【発明が解決しようとする課題】
【００１３】
しかしながら、特許文献１においては、各階に段違い階利用の押し釦を追加しなければならないため費用がかかるだけでなく、建物の構造上釦の設置、増設が困難な場合があるという問題があった。また、特許文献２においては、初めてこのビルのエレベータを利用する外来者など釦操作を知らない人にとっては効果がなく、誤って釦を操作することがあると、逆にエレベータの運転効率や乗車効率が低下し、このエレベータの利用客に対するサービスが低下する問題があった。
【００１４】
本発明は、このような事情に鑑みてなされたものであり、各階のエレベータホールに段違い階や中抜け階利用の押し釦を設けなくて通常の上下方向の乗場呼び釦を設けるのみで、段違い階や中抜け階へ行こうとする乗客にとっても、他の共通階へ行こうとする乗客と同じ乗場呼び釦操作を行ったとしても、乗り換えることなく段違い階や中抜け階に行くことができ、乗客に対するサービスを向上できるエレベータの群管理制御装置を提供することを目的とする。
【課題を解決するための手段】
【００１５】
本発明は、特定のエレベータのみがサービス可能な段違い階及び中抜け階と、全てのエレベータがサービス可能な共通階とからなる複数の階に対して複数台のエレベータを就役させるとともに、各階で発生した乗場呼びを割当制御部によって最適のエレベータに割当て、該当エレベータを該当乗場呼び発生階へ向かわせるエレベータの群管理制御装置に適用される。
【００１６】
そして、上記課題を解消するために、本発明のエレベータの群管理制御装置においては、各階で発生した乗場呼びのうち段違い階方向又は中抜け階方向の乗場呼びを検出する乗場呼び検出手段と、この乗場呼び検出手段で検出された乗場呼びの発生階から段違い階又は中抜け階までの階数が所定階数以内かを判定する階数判定手段と、この階数判定手段が所定階数以内と判定したとき、乗場呼び検出手段で検出された乗場呼びを特定のエレベータに割当てる指示を割当制御部に行う特定エレベータ割当指示手段とを備えている。
【００１７】
このように構成されたエレベータの群管理制御装置においては、各階で段違い階方向又は中抜け階方向の乗場呼びが発生すると、この乗場呼び発生階が段違い階又は中抜け階から所定階数以内の場合は、すなわち、段違い階又は中抜け階が乗場呼び発生階に近い場合は、この乗場呼びが段違い階又は中抜け階にサービス可能な特定のエレベータに割当られる。したがって、エレベータ全体のサービスを低下させることなく、段違い階又は中抜け階を目的階とする乗客に対するサービスを大幅に向上できる。
【００１８】
また、別の発明は、上述したエレベータの群管理制御装置において、少なくとも乗場呼びの発生頻度及び乗場呼びに対するエレベータの応答時間に基づくエレベータの現在時点の交通需要量を算出し、この現在時点の交通需要量が所定交通需要量以内かを判定する交通需要量判定手段と、各階で発生した乗場呼びのうち段違い階方向又は中抜け階方向の乗場呼びを検出する乗場呼び検出手段と、この乗場呼び検出手段が乗場呼びを検出したときにおいて、交通需要量判定手段が所定交通需要量以内と判定した場合、乗場呼び検出手段で検出された乗場呼びを特定のエレベータに割当てる指示を割当制御部に行う特定エレベータ割当指示手段とを備えている。
【００１９】
このように構成されたエレベータの群管理制御装置においては、乗場呼びの発生頻度及び応答時間に基いてエレベータの現在時点の交通需要量が算出され、各階で段違い階方向又は中抜け階方向の乗場呼びが発生すると、現在時点の交通需要量が所定交通需要量以内の場合に、この乗場呼びが段違い階又は中抜け階にサービス可能な特定のエレベータに割当られる。
【００２０】
したがって、先の発明と同様に、エレベータ全体のサービスを低下させることなく、段違い階又は中抜け階を目的階とする乗客に対するサービスを大幅に向上できる。
【００２１】
また、別の発明は、上述したエレベータの群管理制御装置において、各階で発生した乗場呼びのうち段違い階方向又は中抜け階方向の乗場呼びを検出する乗場呼び検出手段と、この乗場呼び検出手段が乗場呼びを検出したとき、特定のエレベータにおける自己に割当て済みの全乗場呼びに対する平均応答時間を算出する平均応答時間算出手段と、この平均応答時間算出手段で算出された平均応答時間が所定平均応答時間以内の場合、乗場呼び検出手段で検出された乗場呼びを特定のエレベータに割当てる指示を割当制御部に行う特定エレベータ割当指示手段とを備えている。
【００２２】
このように構成されたエレベータの群管理制御装置においては、各階で段違い階方向又は中抜け階方向の乗場呼びが発生すると、段違い階又は中抜け階にサービス可能な特定のエレベータに割当て済みの全乗場呼びに対する平均応答時間が所定平均応答時間以内の場合に、すなわち、特定のエレベータが比較的負荷が軽い状態の場合において、この乗場呼びが段違い階又は中抜け階にサービス可能な特定のエレベータに割当られる。したがって、先の発明と同様に、エレベータ全体のサービスを低下させることなく、段違い階又は中抜け階を目的階とする乗客に対するサービスを大幅に向上できる。
【００２３】
さらに、別の発明は、上述した発明のエレベータの群管理制御装置に対して、さらに、平均応答時間算出手段で算出された平均応答時間が所定平均応答時間を超える場合、この平均応答時間が所定平均応答時間以内になるまで、特定のエレベータにおける自己に割当て済みの段違い階方向又は中抜け階方向以外の乗場呼びを特定のエレベータ以外のエレベータに割当変更する指示を割当制御部に行う割当変更手段を付加している。
【００２４】
このように構成されたエレベータの群管理制御装置においては、段違い階又は中抜け階にサービス可能な特定のエレベータの平均応答時間が所定平均応答時間を超える場合には、割当て済みの段違い階方向又は中抜け階方向以外の乗場呼びを他のエレベータに割当変更して、特定のエレベータの負荷を軽減している。そして、負荷軽減された特定のエレベータに段違い階方向又は中抜け階方向の乗場呼が割当られる。
【００２５】
さらに、別の発明は、上述した発明のエレベータの群管理制御装置に対して、さらに、割当変更手段にて割当変更された乗場呼びの発生階に対して割当変更を報知する割当変更報知手段を備えている。よつて、割当変更された乗場呼びの発生階の乗場（エレベータホール）でエレベータの到着を待っている乗客は自己が乗るエレベータが変更になったことを確実に認識できる。
【００２６】
また、別の発明は、上述したエレベータの群管理制御装置において、各階で発生した段違い階方向又は中抜け階方向の乗場呼びの発生回数に対する、該当乗場呼びに応答したエレベータにおける段違い階又は中抜け階のかご呼びの発生回数の割合を示すかご呼び登録率を曜日、時間帯毎に学習して記憶するかご呼び登録学習手段と、各階で発生した乗場呼びのうち段違い階方向又は中抜け階方向の乗場呼びを検出する乗場呼び検出手段と、この乗場呼び検出手段が乗場呼びを検出したときにおいて、かご呼び登録学習手段に記憶された現在の曜日、時間帯におけるかご呼び登録率が所定かご呼び登録率を超える場合、乗場呼び検出手段で検出された乗場呼びを特定のエレベータに割当てる指示を割当制御部に行う特定エレベータ割当指示手段とを備えている。
【００２７】
このように構成されたエレベータの群管理制御装置においては、各階で発生した段違い階方向又は中抜け階方向の乗場呼びの発生回数に対する、実際に段違い階又は中抜け階を指定するかご呼びの発生回数の割合を示すかご呼び登録率が曜日、時間帯毎に学習して記憶される。
【００２８】
そして、各階で段違い階方向又は中抜け階方向の乗場呼びが発生すると、現在の曜日、時間帯におけるかご呼び登録率が所定かご呼び登録率を超える場合、すなわち、乗客が実際に段違い階又は中抜け階へ行く確率が高いときのみ、この乗場呼びが段違い階又は中抜け階にサービス可能な特定のエレベータに割当られる。
【００２９】
したがって、先の発明と同様に、エレベータ全体のサービスを低下させることなく、段違い階又は中抜け階を目的階とする乗客に対するサービスを大幅に向上できる。
【００３０】
さらに、別の発明は、上述した各発明のエレベータの群管理制御装置に対して、特定エレベータ割当指示手段にて段違い階方向又は中抜け階方向の乗場呼びが割当てられた特定のエレベータに対する、新規発生した段違い階方向又は中抜け階方向以外の乗場呼びの割当禁止の指示を割当制御部に行う割当禁止手段を備えている。
【００３１】
このように構成されたエレベータの群管理制御装置においては、一旦、段違い階方向又は中抜け階方向の乗場呼びが割当てられた特定のエレベータには、新規発生した段違い階方向又は中抜け階方向以外の乗場呼びが割当られることはないので、該当特定のエレベータは短時間で乗場呼び発生階へ到着する。
【発明の効果】
【００３２】
本発明においては、各階の乗場（エレベータホール）で段違い階方向や中抜け階方向の乗場呼びが登録されると、乗場呼び発生階から段違い階や中抜け階までの階数やエレベータの交通需要量やエレベータの平均応答時間等に基づいて、該当乗場呼びを段違い階や中抜け階をサービスするエレベータに割当てている。
【００３３】
したがって、各階のエレベータホールに段違い階や中抜け階利用の押し釦を設けなくて通常の上下方向の乗場呼び釦を設けるのみで、段違い階や中抜け階へ行こうとする乗客にとっても、他の共通階へ行こうとする乗客と同じ乗場呼び釦操作を行ったとしても、乗り換えることなく段違い階や中抜け階に行くことができ、全ての乗客に対するサービスを向上できる。
【発明を実施するための最良の形態】
【００３４】
以下、本発明の各実施形態を図面を用いて説明する。
【００３５】
（第１実施形態）
図１は本発明の第１実施形態に係わるエレベータの群管理制御装置が組込まれたエレベータシステムの概略構成図である。図１５に示す従来のエレベータシステムと同一部分には同一符号を付して、重複する部分の詳細説明を省略する。なお、この実施形態のエレベータシステムは、図１４に示す構成のビルに適用される。
【００３６】
この第１実施形態のエレベータシステムにおいては、図１４に示す構成のビルのＢ１〜８Ｆの各階の乗場（エレベータホール）に取付けられた上下方向の乗場呼び釦４に接続された乗場呼び入出力部５は低速伝送路６を介して群管理制御部１４に接続されている。また、各階の乗場（エレベータホール）に取付けられたスピーカ１３は低速伝送路６を介して群管理制御部１４に接続されている。この群管理制御部１４は低速伝送路６及び高速伝送路１０を介して各運転制御部８ａ、８ｂ、８ｃに接続されている。各運転制御部８ａ、８ｂ、８ｃは、ａ号機、ｂ号機、ｃ号機の各エレベータ９ａ、９ｂ、９ｃを個別に運転制御する。各エレベータ９ａ、９ｂ、９ｃ内にはかご呼び釦１２が取付けられている。
【００３７】
１Ｆ〜３Ｆ、５Ｆ〜８Ｆの共通階１はａ号機、ｂ号機、ｃ号機の全てのエレベータ９ａ、９ｂ、９ｃがサービス可能であり、Ｂ１の段違い階２はｂ号機及びｃ号機のエレベータ９ｂ、９ｃがサービス可能であり、４Ｆの中抜け階３はｃ号機のエレベータ９ｃのみがサービス可能である。
【００３８】
図２は、この第１実施形態のエレベータの群管理制御装置の要部である群管理制御部１４の詳細構成を示すブロック図である。例えばコンピュータで構成された群管理制御部１４内には、乗場呼び登録部１５、かご呼び登録部１６、割当制御部１７、乗場呼び検出部１８、階数判定部１９、特定エレベータ割当指示部２０、及び割当禁止部２１が設けられている。
【００３９】
乗場呼び登録部１５は、各階の乗場呼び釦４で生じた上方向、下方向の各乗場呼びを乗場呼び入出力部５及び低速伝送路６を介して収集して割当制御部１７へ送出する。かご呼び登録部１６は、ａ号機、ｂ号機、ｃ号機の各エレベータ９ａ、９ｂ、９ｃ内に取付られた各かご呼び釦１２で目的階を指定したかご呼びを各運転制御部８ａ、８ｂ、８ｃを介して収集して割当制御部１７へ送出する。
【００４０】
割当制御部１７は、乗場呼び登録部１５から乗場呼びが入力されると、各エレベータ９ａ〜９ｃの現在位置の検出により予め決められた階間の走行時間やドア開閉時間や、各エレベータ９ａ〜９ｃに割当てられている目的階を指定したかご呼びなどの基礎データを基に、各エレベータ９ａ〜９ｃの乗場呼び発生階への予測到着時間（応答時間）を演算し、この演算結果に基いて所定の評価を行ない、最適なエレベータにこの乗場呼びを割当てる。
【００４１】
そして、この割当制御部１７は、乗場呼びを割当てたエレベータの運転制御部８ａ〜８ｃに高速伝送路１０を介して割当指令を送出し、この割当指令に基いて、乗場呼び発生階の乗場（エレベータホール）における割当たエレベータのドア付近に設置された到着予報ランタン（図示せず）を点灯させる。
【００４２】
乗場呼び検出部１８は、乗場呼び登録部１５から入力された各階で発生した乗場呼びのうち段違い階２方向又は中抜け階３方向の乗場呼びを検出して、階数判定部１９へ送出する。階数判定部１９は、段違い階２方向又は中抜け階３方向の乗場呼び発生階Ｆiから段違い階２（Ｆd）又は中抜け階３（Ｆn）までの階数（｜Ｆi―Ｆd｜、｜Ｆi―Ｆn｜）が所定階数（Ｆs）以内かを判定し、判定結果を次の特定エレベータ割当指示部２０へ送出する。
【００４３】
特定エレベータ割当指示部２０は、この階数（｜Ｆi―Ｆd｜、｜Ｆi―Ｆn｜）が所定階数（Ｆs）以内のとき、該当乗場呼びを段違い階２（Ｆd）又は中抜け階３（Ｆn）をサービス可能な特定のエレベータ（エレベータ９ｂ、９ｃ、又はエレベータ９ｃ）に割当てる指示を割当制御部１７に行う。
【００４４】
割当禁止部２１は、特定エレベータ割当指示部２０にて段違い階２方向又は中抜け階３方向の乗場呼びが割当てられた特定のエレベータに対する、新規発生した段違い階方向又は中抜け階方向以外の乗場呼びの割当禁止の指示を割当制御部１７に行う。
【００４５】
そして、割当禁止部２１は、該当乗場呼びを段違い階２（Ｆd）又は中抜け階３（Ｆn）をサービス可能な特定のエレベータ（エレベータ９ｂ、９ｃ、又はエレベータ９ｃ）に割当てる。
【００４６】
図３は、例えばコンピュータで構成された群管理制御部１４の動作を示す流れ図である。  
乗場呼び登録部１５が乗場呼び入出力５から低速伝送路６を介して乗場呼び釦４が押されたことを検出すると（ステップＳ１０１）、乗場呼び検出部１８が、検出した乗場呼びの発生階（Ｆi）と方向と段違い階２の情報から前記乗場呼びが段違い階２方向のものであると判断する（Ｓ１０２）と、次に階数判定部１９が起動する。そして、段違い階２方向の乗場呼びであり、発生階（Ｆi）と段違い階２（Ｆd）との階数（｜Ｆi―Ｆd｜）が所定値（Ｆs）以下であれば（Ｓ１０３）、割当制御部１７に対して、乗場呼びを段違い階２のサービス可能なエレベータ９ｂ、９ｃに割当するよう指令を出力する。
【００４７】
割当制御部１７は、段違い階２のサービス可能なエレベータ９ｂ、９ｃを評価し高速伝送路１０を介して何れかの最適なエレベータ９ｂ、９ｃに該当乗場呼びを割当てる（Ｓ１０４）。そして、乗場呼びが割当てられたエレベータ９ｂ（９ｃ）に対する新規発生した段違い階２方向以外の乗場呼びの割当禁止を行う（Ｓ１０５）。
【００４８】
発生した乗場呼びが段違い階２方向でない場合には（Ｓ１０２）、乗場呼びが中抜け階３方向であるか判断し（Ｓ１０６）、中抜け階３方向であり、発生階（Ｆi）と中抜け階３（Ｆn）との階数（｜Ｆi―Ｆn｜）が所定値Ｆs以下であれば（Ｓ１０７）、割当制御部１７に対して、乗場呼びを中抜け階３のサービス可能なエレベータ９ｃに割当するよう指令を出力する。
【００４９】
割当制御部１７は、段違い階３をサービス可能なエレベータ９ｃを評価し高速伝送路１０を介して何れかの最適なエレベータ９ｃに割当を行う（Ｓ１０８）。なお、段違い階３をサービス可能なエレベータが１台の場合は、無条件に該当エレベータに乗場呼びの割当を行う。そして、乗場呼びが割当てられたエレベータ９ｃに対する新規発生した中抜け階３方向以外の乗場呼びの割当禁止を行う（Ｓ１０９）。
【００５０】
乗場呼びが段違い階２方向、中抜け階３方向でないときには割当制御部１７に対し通常の割当をするよう指令を出力する。割当制御部１７は３台のエレベータ９ａ、９ｂ、９ｃを評価し高速伝送路１０を介して何れかの最適のエレベータ９ａ、９ｂ、９ｃに割当指令を出力する（Ｓ１１０）。
【００５１】
このように構成された第１実施形態のエレベータの群管理制御装置においては、ビルの各階で段違い階２方向又は中抜け階３方向の乗場呼びが発生すると、この乗場呼び発生階（Ｆi）が段違い階２（Ｆd）又は中抜け階３（Ｆn）から所定階数（Ｆs）以内の場合（｜Ｆi―Ｆd｜≦Ｆs、｜Ｆi―Ｆn｜≦Ｆs）は、この乗場呼びが段違い階２又は中抜け階３にサービス可能な特定のエレベータ９ｂ、９ｃに割当られる。したがって、エレベータ全体のサービスを低下させることなく、段違い階２又は中抜け階３を目的階とする乗客に対するサービスを大幅に向上できる。
【００５２】
（第２実施形態）
図４は、本発明の第２実施形態のエレベータの群管理制御装置の要部である群管理制御部１４ａの詳細構成を示すブロック図である。図２に示す第１実施形態のエレベータの群管理制御装置の群管理制御部１４と同一部分には同一符号を付して、重複する部分の詳細説明を省略する。なお、この実施形態の群管理制御部１４ａが組込まれたエレベータシステムは、図１に示す第１実施形態のエレベータシステムとほぼ同じである。
【００５３】
この第２実施形態の群管理制御部１４ａ内には、乗場呼び登録部１５、かご呼び登録部１６、割当制御部１７、乗場呼び検出部１８、交通需要量算出部２２、需要量判定部２３、特定エレベータ割当指示部２０ａ、及び割当禁止部２１が設けられている。
【００５４】
交通需要量算出部２２は、乗場呼び登録部１５から得られる例えば５分等の単位時間における全ての階の乗場呼びの発生頻度及び乗場呼びに対するエレベータ９ａ〜９ｃの平均応答時間に基づくエレベータ全体の現在時点の交通需要量Ｑiを算出して、５分周期で需要量判定部２３へ送出する。
【００５５】
需要量判定部２３は、５分周期で更新される現在時点の交通需要量Ｑiが所定交通需要量Ｑs以内か否かを判定して、判定結果を特定エレベータ割当指示部２０ａへ送出する。
【００５６】
特定エレベータ割当指示部２０ａは、乗場呼び検出部１８が段違い階２方向又は中抜け階３方向の乗場呼びを検出したときにおいて、需要量判定部２３が現在時点の交通需要量Ｑiが所定交通需要量Ｑs以内と判定した場合、乗場呼び検出部１８で検出された乗場呼びを、段違い階２又は中抜け階３をサービス可能な特定のエレベータ９ｂ、９ｃ、又はエレベータ９ｃに割当てる指示を割当制御部１７に行う。
【００５７】
図５は、例えばコンピュータで構成された群管理制御部１４ａの動作を示す流れ図である。  
乗場呼び登録部１５が乗場呼び入出力５から低速伝送路６を介して乗場呼び釦４が押されたことを検出すると（ステップＳ２０１）、乗場呼び検出部１８が、検出した乗場呼びの発生階と方向と段違い階２の情報から前記乗場呼びが段違い階２方向のものであると判断する（Ｓ２０２）。そして、現在時点の交通需要量Ｑiが所定交通需要量Ｑs以内（Ｑi≦Ｑs）であれば（Ｓ２０３）、割当制御部１７に対して、乗場呼びを段違い階２のサービス可能なエレベータ９ｂ、９ｃに割当するよう指令を出力する。
【００５８】
割当制御部１７は、段違い階２のサービス可能なエレベータ９ｂ、９ｃを評価し高速伝送路１０を介して何れかの最適なエレベータ９ｂ、９ｃに該当乗場呼びを割当てる（Ｓ２０４）。そして、乗場呼びが割当てられたエレベータ９ｂ（９ｃ）に対する新規発生した段違い階２方向以外の乗場呼びの割当禁止を行う（Ｓ２０５）。
【００５９】
発生した乗場呼びが段違い階２方向でない場合には（Ｓ２０２）、乗場呼びが中抜け階３方向であるか判断し（Ｓ２０６）、中抜け階３方向であり、現在時点の交通需要量Ｑiが所定交通需要量Ｑs以内（Ｑi≦Ｑs）であれば（Ｓ２０７）、割当制御部１７に対して、乗場呼びを中抜け階３のサービス可能なエレベータ９ｃに割当するよう指令を出力する。
【００６０】
割当制御部１７は、段違い階３のサービス可能なエレベータ９ｃを評価し高速伝送路１０を介して何れかの最適なエレベータ９ｃに割当を行う（Ｓ２０８）。そして、乗場呼びが割当てられたエレベータ９ｃに対する新規発生した中抜け階３方向以外の乗場呼びの割当禁止を行う（Ｓ２０９）。
【００６１】
乗場呼びが段違い階２方向、中抜け階３方向でないときには割当制御部１７に対し通常の割当をするよう指令を出力する。割当制御部１７は３台のエレベータ９ａ、９ｂ、９ｃを評価し高速伝送路１０を介して何れかの最適のエレベータ９ａ、９ｂ、９ｃに割当指令を出力する（Ｓ２１０）。
【００６２】
このように構成された第２実施形態のエレベータの群管理制御装置においては、ビルの各階で段違い階２方向又は中抜け階３方向の乗場呼びが発生すると、エレベータ全体の現在時点の交通需要量Ｑiが所定交通需要量Ｑs以内（Ｑi≦Ｑs）であれば、すなわち、エレベータ全体の負荷が小さい場合は、この乗場呼びが段違い階２又は中抜け階３をサービス可能な特定のエレベータ９ｂ、９ｃ、又はエレベータ９ｃに割当てられる。
【００６３】
したがって、先に説明した第１実施形態のエレベータの群管理制御装置と同様に、エレベータ全体のサービスを低下させることなく、段違い階２又は中抜け階３を目的階とする乗客に対するサービスを大幅に向上できる。
【００６４】
（第３実施形態）
図６は、本発明の第３実施形態のエレベータの群管理制御装置の要部である群管理制御部１４ｂの詳細構成を示すブロック図である。図２に示す第１実施形態のエレベータの群管理制御装置の群管理制御部１４と同一部分には同一符号を付して、重複する部分の詳細説明を省略する。なお、この実施形態の群管理制御部１４ｂが組込まれたエレベータシステムは、図１に示す第１実施形態のエレベータシステムとほぼ同じである。
【００６５】
この第３実施形態の群管理制御部１４ｂ内には、乗場呼び登録部１５、かご呼び登録部１６、割当制御部１７、乗場呼び検出部１８、平均応答時間算出部２４、特定エレベータ割当指示部２０ｂ、及び割当禁止部２１が設けられている。
【００６６】
平均応答時間算出部２４は、乗場呼び検出部１８で段違い階２方向又は中抜け階３方向の乗場呼びが検出されたとき、段違い階２又は中抜け階３をサービス可能な特定のエレベータとしての各エレベータ９ｂ、９ｃ、又はエレベータ９ｃにおける自己に割当て済みの全乗場呼びに対する平均応答時間Ｔiを算出する。この場合、段違い階２に対しては、２台のエレベータ９ｂ、９ｃを合算した平均応答時間Ｔiが算出される。より具体的には、平均応答時間Ｔiは、対象となる各エレベータにおいて乗場呼びの割当情報、かご呼び情報、速度、走行位置などを元に現時点から乗場呼びに応答するまでの予測時間（応答時間）を累計し、割当乗場呼びの個数で除算した平均値である。
【００６７】
特定エレベータ割当指示部２０ｂは、平均応答時間算出部２４で算出された平均応答時間Ｔiが所定平均応答時間Ｔs以内（Ｔi≦Ｔs）場合、乗場呼び検出部１８で検出された乗場呼びを、段違い階２又は中抜け階３をサービス可能な特定のエレベータとしての各エレベータ９ｂ、９ｃ、又はエレベータ９ｃに割当てる指示を割当制御部１７に行う。
【００６８】
図７は、例えばコンピュータで構成された群管理制御部１４ｂの動作を示す流れ図である。  
乗場呼び登録部１５が乗場呼び入出力５から低速伝送路６を介して乗場呼び釦４が押されたことを検出すると（ステップＳ３０１）、乗場呼び検出部１８が、検出した乗場呼びの発生階と方向と段違い階２の情報から前記乗場呼びが段違い階２方向のものであると判断すると（Ｓ３０２）、段違い階２をサービス可能な２台のエレベータ９ｂ、９ｃにおける割当て済みの全乗場呼びに対する平均応答時間Ｔiを算出する。この平均応答時間Ｔiが所定平均応答時間Ｔs以内（Ｔi≦Ｔs）であれば（Ｓ３０３）、割当制御部１７に対して、乗場呼びを段違い階２のサービス可能なエレベータ９ｂ、９ｃに割当するよう指令を出力する。
【００６９】
割当制御部１７は、段違い階２のサービス可能なエレベータ９ｂ、９ｃを評価し高速伝送路１０を介して何れかの最適なエレベータ９ｂ、９ｃに該当乗場呼びを割当てる（Ｓ３０４）。そして、乗場呼びが割当てられたエレベータ９ｂ（９ｃ）に対する新規発生した段違い階２方向以外の乗場呼びの割当禁止を行う（Ｓ３０５）。
【００７０】
発生した乗場呼びが段違い階２方向でない場合には（Ｓ３０２）、乗場呼びが中抜け階３方向であるか判断し（Ｓ３０６）、中抜け階３方向の場合、中抜け階３をサービス可能なエレベータ９ｃにおける割当て済みの全乗場呼びに対する平均応答時間Ｔiを算出する。この平均応答時間Ｔiが所定平均応答時間Ｔs以内（Ｔi≦Ｔs）であれば（Ｓ３０７）、割当制御部１７に対して、乗場呼びを中抜け階３のサービス可能なエレベータ９ｃに割当するよう指令を出力する。
【００７１】
割当制御部１７は、段違い階３のサービス可能なエレベータ９ｃを評価し高速伝送路１０を介して何れかの最適なエレベータ９ｃに割当を行う（Ｓ３０８）。そして、乗場呼びが割当てられたエレベータ９ｃに対する新規発生した中抜け階３方向以外の乗場呼びの割当禁止を行う（Ｓ３０９）。
【００７２】
乗場呼びが段違い階２方向、中抜け階３方向でないときには割当制御部１７に対し通常の割当をするよう指令を出力する。割当制御部１７は３台のエレベータ９ａ、９ｂ、９ｃを評価し高速伝送路１０を介して何れかの最適のエレベータ９ａ、９ｂ、９ｃに割当指令を出力する（Ｓ３１０）。
【００７３】
このように構成された第３実施形態のエレベータの群管理制御装置においては、ビルの各階で段違い階２方向又は中抜け階３方向の乗場呼びが発生すると、段違い階２又は中抜け階３をサービス可能な各エレベータ９ｂ、９ｃ、又はエレベータ９ｃにおける自己に割当て済みの全乗場呼びに対する平均応答時間Ｔiが算出される。そして、この平均応答時間Ｔiが所定平均応答時間Ｔs以内（Ｔi≦Ｔs）であれば、すなわち、段違い階２又は中抜け階３をサービス可能なエレベータの負荷が小さい場合は、この乗場呼びが段違い階２又は中抜け階３をサービス可能な特定のエレベータ９ｂ、９ｃ、又はエレベータ９ｃに割当てられる。
【００７４】
したがって、先に説明した第１実施形態のエレベータの群管理制御装置と同様に、エレベータ全体のサービスを低下させることなく、段違い階２又は中抜け階３を目的階とする乗客に対するサービスを大幅に向上できる。
【００７５】
（第４実施形態）
図８は、本発明の第４実施形態のエレベータの群管理制御装置の要部である群管理制御部１４ｃの詳細構成を示すブロック図である。図６に示す第３実施形態のエレベータの群管理制御装置の群管理制御部１４ｂと同一部分には同一符号を付して、重複する部分の詳細説明を省略する。なお、この実施形態の群管理制御部１４ｃが組込まれたエレベータシステムは、図１に示す第１実施形態のエレベータシステムとほぼ同じである。
【００７６】
この第４実施形態の群管理制御部１４ｃ内には、乗場呼び登録部１５、かご呼び登録部１６、割当制御部１７、乗場呼び検出部１８、平均応答時間算出部２４、割当変更部２５，割当変更報知部２６、特定エレベータ割当指示部２０ｂ、及び割当禁止部２１が設けられている。
【００７７】
割当変更部２５は、平均応答時間算出部２４で算出された平均応答時間Ｔiが所定平均応答時間Ｔsを超える（Ｔi＞Ｔs）場合、この平均応答時間Ｔiが所定平均応答時間Ｔs以内になるまで、段違い階２又は中抜け階３をサービス可能な特定のエレベータ９ｂ、９ｃに割当て済みの段違い階２方向又は中抜け階３方向以外の乗場呼びを、応答時間の長いものから順に、特定のエレベータ９ｂ、９ｃ以外のエレベータに割当変更する指示を割当制御部１７に行う。
【００７８】
特定エレベータ割当指示部２０ｂは、平均応答時間算出部２４で算出された平均応答時間Ｔiが最初から所定平均応答時間Ｔs以内（Ｔi≦Ｔs）のとき、及び割当変更部２５で割当変更後に平均応答時間Ｔiが所定平均応答時間Ｔs以内（Ｔi≦Ｔs）になった時点で、乗場呼び検出部１８で検出された乗場呼びを、段違い階２又は中抜け階３をサービス可能な特定のエレベータとしての各エレベータ９ｂ、９ｃ、又はエレベータ９ｃに割当てる指示を割当制御部１７に行う。
【００７９】
割当変更報知部２６は、低速伝送路６を介して割当変更部２５にて割当変更された乗場呼びの発生階のスピーカ１３にて、例えば「長待ちとなっているためにエレベータの割当を変更します」のアナウンスで乗場（エレベータホール）のエレベータ待ちの乗客に割当変更を報知する。
【００８０】
図９は、例えばコンピュータで構成された群管理制御部１４ｃの動作を示す流れ図である。  
乗場呼び登録部１５が乗場呼び入出力５から低速伝送路６を介して乗場呼び釦４が押されたことを検出すると（ステップＳ４０１）、乗場呼び検出部１８が、検出した乗場呼びの発生階と方向と段違い階２の情報から前記乗場呼びが段違い階２方向のものであると判断する（Ｓ４０２）。そして、段違い階２をサービス可能な２台のエレベータ９ｂ、９ｃにおける割当て済みの全乗場呼びに対する平均応答時間Ｔiを算出する。特定エレベータ割当指示部２０ｂは、この平均応答時間Ｔiが所定平均応答時間Ｔs以内（Ｔi≦Ｔs）であれば（Ｓ４０３）、即座に、割当制御部１７に対して、乗場呼びを段違い階２にサービス可能なエレベータ９ｂ、９ｃに割当するよう指令を出力する。
【００８１】
Ｓ４０３にて、平均応答時間算出部２４で算出された平均応答時間Ｔiが所定平均応答時間Ｔsを超える（Ｔi＞Ｔs）場合、割当変更部２５が起動する。割当変更部２５は、この平均応答時間Ｔiが所定平均応答時間Ｔs以内になるまで、段違い階２をサービス可能な特定のエレベータ９ｂ、９ｃに割当て済みの段違い階２方向以外の乗場呼びを、応答時間の長いものから順に、特定のエレベータ９ｂ、９ｃ以外のエレベータ９ａに割当変更する指示を割当制御部１７に行う（Ｓ４０４）。
【００８２】
そして、平均応答時間Ｔiが所定平均応答時間Ｔs以内（Ｔi≦Ｔs）になった時点で、特定エレベータ割当指示部２０ｂは、割当制御部１７に対して、乗場呼びを段違い階２にサービス可能なエレベータ９ｂ、９ｃに割当するよう指令を出力する。
【００８３】
割当制御部１７は、段違い階２のサービス可能なエレベータ９ｂ、９ｃを評価し高速伝送路１０を介して何れかの最適なエレベータ９ｂ、９ｃに該当乗場呼びを割当てる（Ｓ４０５）。そして、乗場呼びが割当てられたエレベータ９ｂ（９ｃ）に対する新規発生した段違い階２方向以外の乗場呼びの割当禁止を行う（Ｓ４０６）。さらに、割当変更部２５にて乗場呼びの割当変更があった場合、変更になった乗場呼びの発生階のスピーカ１３にてエレベータ待ちの乗客に割当変更を報知する。
【００８４】
発生した乗場呼びが段違い階２方向でない場合には（Ｓ４０２）、乗場呼びが中抜け階３方向であるか判断し（Ｓ４０７）、中抜け階３方向の場合、中抜け階３をサービス可能なエレベータ９ｃにおける割当て済みの全乗場呼びに対する平均応答時間Ｔiを算出する。特定エレベータ割当指示部２０ｂは、この平均応答時間Ｔiが所定平均応答時間Ｔs以内（Ｔi≦Ｔs）であれば（Ｓ４０８）、即座に、割当制御部１７に対して、乗場呼びを中抜け階３にサービス可能なエレベータ９ｃに割当するよう指令を出力する。
【００８５】
Ｓ４０８にて、平均応答時間算出部２４で算出された平均応答時間Ｔiが所定平均応答時間Ｔsを超える（Ｔi＞Ｔs）場合、割当変更部２５が起動する。割当変更部２５は、この平均応答時間Ｔiが所定平均応答時間Ｔs以内になるまで、中抜け階３をサービス可能な特定のエレベータ９ｃに割当て済みの中抜け階３方向以外の乗場呼びを、応答時間の長いものから順に、特定のエレベータ９ｃ以外のエレベータ９ａ、９ｂに割当変更する指示を割当制御部１７に行う（Ｓ４０９）。
【００８６】
そして、平均応答時間Ｔiが所定平均応答時間Ｔs以内（Ｔi≦Ｔs）になった時点で、特定エレベータ割当指示部２０ｂは、割当制御部１７に対して、乗場呼びを中抜け階３をサービス可能なエレベータに割当するよう指令を出力する。
【００８７】
割当制御部１７は、段違い階３のサービス可能なエレベータ９ｃを評価し高速伝送路１０を介して何れかの最適なエレベータ９ｃに割当を行う（Ｓ４１０）。そして、乗場呼びが割当てられたエレベータ９ｃに対する新規発生した中抜け階３方向以外の乗場呼びの割当禁止を行う（Ｓ４１１）。さらに、割当変更部２５にて乗場呼びの割当変更があった場合、変更された乗場呼びの発生階のスピーカ１３にてエレベータ待ちの乗客に割当変更を報知する。
【００８８】
Ｓ４０７にて、乗場呼びが段違い階２方向、中抜け階３方向でないときには割当制御部１７に対し通常の割当をするよう指令を出力する。割当制御部１７は３台のエレベータ９ａ、９ｂ、９ｃを評価し高速伝送路１０を介して何れかの最適のエレベータ９ａ、９ｂ、９ｃに割当指令を出力する（Ｓ４１２）。
【００８９】
図１０は、割当変更部２５が行う図９における割当変更（Ｓ４０４、Ｓ４０９）の詳細処理動作を示す流れ図である。なお、図１０においては、段違い階２にサービス可能なエレベータ９ｂ、９ｃの割当変更と、中抜け階３にサービス可能なエレベータ９ｃの割当変更とを同一流れ図で説明する。
【００９０】
割当変更部２５は、平均応答時間算出部２４で算出された平均応答時間Ｔiが所定平均応答時間Ｔsを超える（Ｔi＞Ｔs）場合に割当変更指令を受けると、全エレベータ９ａ〜９ｃについて以下の処理を繰り返す（ステップＳ５０１〜Ｓ５１０）。
【００９１】
ここで、Ｃiはエレベータの号機（ｉ）を示し、Ｃ0、Ｃ1、Ｃ2はそれぞれエレベータ９ａ、９ｂ、９ｃを示す。ＷjはビルのＢ１〜８Ｆの各階（ｊ）で発生した上下方向の各乗場呼びＷ0〜Ｗ15を示す。ＷＴijはビルの各エレベータ（ｉ）に割当済みの各乗場呼び（ｊ）に対する応答時間を示す。さらに、ＷＴは各エレベータ９ａ、９ｂ、９ｃに割当済みの段違い階２方向又は中抜け階３方向の乗場呼び以外の各乗場呼びＷjの応答時間ＷＴijのうちの最大応答時間を示す。
【００９２】
先ず、最大応答時間ＷＴを初期化（ＷＴ＝０）した後（Ｓ５０２）、エレベータの号機Ｃiが段違い階２をサービス可能なエレベータである場合（Ｓ５０３）には、現在登録されている各乗場呼び（Ｗj＝Ｗ0〜Ｗ15）について（Ｓ５０４〜Ｓ５０８）、割当が段違い階２方向以外である各乗場呼び（Ｗj＝Ｃi）の応答時間ＷＴijを求める（Ｓ５０５）。そして、応答時間ＷＴijが最大のもの（Ｓ５０６）を抽出して、これを最大応答時間ＷＴ（＝ＷＴij）とする。また、この最大応答時間ＷＴの乗場呼びＷjを抽出する（Ｓ５０７）。そして、この時点における最大応答時間ＷＴの乗場呼びＷjを、段違い階２をサービス可能なエレベータ以外のエレベータに割当変更する指示を割当制御部１７に行う（Ｓ５０９）。
【００９３】
Ｓ５１１において、エレベータの号機Ｃiが中抜け階３をサービス可能なエレベータである場合には、現在登録されている各乗場呼び（Ｗj＝Ｗ0〜Ｗ15）について（Ｓ５１２〜Ｓ５１６）、割当が中抜け階３方向以外である各乗場呼び（Ｗj＝Ｃi）の応答時間ＷＴijを求める（Ｓ５１３）。そして、応答時間ＷＴijが最大のもの（Ｓ５１４）を抽出して、これを最大応答時間ＷＴ（＝ＷＴij）とする。また、この最大応答時間ＷＴの乗場呼びＷjを抽出する（Ｓ５１５）。そして、この時点における最大応答時間ＷＴの乗場呼びＷjを、中抜け階３をサービス可能なエレベータ以外のエレベータに割当変更する指示を割当制御部１７に行う（Ｓ５０９）。
【００９４】
このように構成された第４実施形態のエレベータの群管理制御装置においては、先に説明した第３実施形態のエレベータの群管理制御装置と同様に、ビルの各階で段違い階２方向又は中抜け階３方向の乗場呼びが発生すると、段違い階２又は中抜け階３をサービス可能な各エレベータ９ｂ、９ｃ、又はエレベータ９ｃにおける自己に割当て済みの全乗場呼びに対する平均応答時間Ｔiが算出される。
【００９５】
そして、この平均応答時間Ｔiが所定平均応答時間Ｔs以内（Ｔi≦Ｔs）であれば、すなわち、段違い階２又は中抜け階３をサービス可能なエレベータの負荷が小さい場合は、この乗場呼びが段違い階２又は中抜け階３をサービス可能な特定のエレベータ９ｂ、９ｃ、又はエレベータ９ｃに割当てられる。
【００９６】
さらに、この第４実施形態のエレベータの群管理制御装置においては、段違い階２又は中抜け階３にサービス可能な特定のエレベータ９ａ、９ｂ、又はエレベータ９ｃの平均応答時間Ｔiが所定平均応答時間Ｔsを超える（Ｔi＞Ｔs）場合には、割当て済みの段違い階２方向又は中抜け階３方向以外の乗場呼びを他のエレベータに割当変更して、特定のエレベータ９ｂ、９ｃ又はエレベータ９ｃの負荷を軽減している。そして、負荷軽減された特定のエレベータ９ｂ、９ｃ又はエレベータ９ｃに段違い階２方向又は中抜け階３方向の乗場呼が割当てられる。
【００９７】
したがって、段違い階２や中抜け階３以外の共通階１を目的階とする乗客に対するサービスを低下させることなく、段違い階２や中抜け階３を目的階とする乗客のサービス性を向上させることが出来る。また、割当変更する際、乗場でエレベータ待ちの乗客に割当変更を報知することで不信感やイライラ感を払除し、サービス性を向上することが出来る。
【００９８】
（第５実施形態）
図１１は、本発明の第５実施形態のエレベータの群管理制御装置の要部である群管理制御部１４ｄの詳細構成を示すブロック図である。図２に示す第１実施形態のエレベータの群管理制御装置の群管理制御部１４と同一部分には同一符号を付して、重複する部分の詳細説明を省略する。なお、この実施形態の群管理制御部１４ｄが組込まれたエレベータシステムは、図１に示す第１実施形態のエレベータシステムとほぼ同じである。
【００９９】
この第５実施形態の群管理制御部１４ｄ内には、乗場呼び登録部１５、かご呼び登録部１６、割当制御部１７、乗場呼び検出部１８、かご呼び登録学習２７、学習メモリ２８、特定エレベータ割当指示部２１ｃ、及び割当禁止部２１が設けられている。
【０１００】
かご呼び登録学習２７は、各階で発生した段違い階２方向又は中抜け階３方向の乗場呼びの発生回数（Ｆd、Ｆn）に対する、該当乗場呼びに応答したエレベータ９ａ〜９ｃにて段違い階２又は中抜け階３のかご呼びの発生回数（Ｃd、Ｃn）の割合を示すかご呼び登録率（Ｒdij＝Ｃd／Ｆd、Ｒnij＝Ｃn／Ｆn）を曜日（ｉ）、時間帯（ｊ）毎に学習して学習メモリ２８に記憶保持する。
【０１０１】
特定エレベータ割当指示部２１ｃは、乗場呼び検出部１８が段違い階２方向又は中抜け階３方向の乗場呼びを検出したときにおいて、かご呼び登録学習部２７の学習メモリ２８に記憶された現在の曜日（ｉ）、時間帯（ｊ）におけるかご呼び登録率（Ｒdij＝Ｃd／Ｆd、Ｒnij＝Ｃn／Ｆn）が所定かご呼び登録率（Ｒds、Ｒns）を超える場合、乗場呼び検出部１８が検出した段違い階２方向又は中抜け階３方向の乗場呼びを、段違い階２又は中抜け階３をサービス可能な特定のエレベータ９ｂ、９ｃ、又は、エレベータ９ｃに割当てる指示を割当制御部１７に行う。
【０１０２】
図１２は、かご呼び登録学習２７の学習処理を示す流れ図である。  
先ず、段違い階２方向又は中抜け階３方向の乗場呼びの発生回数Ｆd、Ｆn、及び該当乗場呼びに応答したエレベータ９ａ〜９ｃにおける段違い階２又は中抜け階３のかご呼びの発生回数Ｃd、Ｃnを初期化する（ステップＳ６０１）。
【０１０３】
乗場呼び登録部１５が各階で発生した乗場呼びを検出すると（Ｓ６０２）、この乗場呼びが段違い階２方向であるか判別する（Ｓ６０３）。段違い階２方向の乗場呼びであれば乗場呼び発生回数Ｆｄをインクリメントする（Ｓ６０４）。次に、かご呼び登録部１６にて前記乗場呼びに応答したエレベータのかご呼び釦１２にて段違い階２のかご呼びが登録されると（Ｓ６０５）、かご呼び発生回数Ｃdをインクリメントする（Ｓ６０６）。
【０１０４】
乗場呼び登録部１５が検出した乗場呼びが段違い階２方向でない場合には更に中抜け階３方向であるか判別する（Ｓ６０７）。中抜け階３方向の乗場呼びであれば乗場呼び発生回数Ｆnをインクリメントする（Ｓ６０８）。そして、かご呼び登録部１６にて前記乗場呼びに応答したエレベータのかご呼び釦１２にて段違い階３のかご呼びが登録されると（Ｓ６０９）、かご呼び発生回数Ｃnをインクリメントする（Ｓ６１０）。
【０１０５】
Ｓ６１１にて、現在の曜日、時間帯（ｉｊ）が変化しない限り、乗場呼びの発生回数（Ｆd、Ｆn）、及びかご呼びの発生回数（Ｃd、Ｃn）をインクリメントしていく。現在の曜日、時間帯（ｉｊ）が変化すると、現在の曜日、時間帯（ｉｊ）のかご呼び登録率（Ｒdij＝Ｃd／Ｆd、Ｒnij＝Ｃn／Ｆn）を算出して、学習メモリ２８へ曜日、時間帯（ｉｊ）情報を付して書き込む（Ｓ６１２）。そして、ステップＳ６０１へ戻る。
【０１０６】
よって、学習メモリ２８内には、曜日、時間帯（ｉｊ）毎のかご呼び登録率（Ｒdij＝Ｃd／Ｆd、Ｒnij＝Ｃn／Ｆn）が学習されて記憶保持されている。
【０１０７】
図１３は、例えばコンピュータで構成された群管理制御部１４ｄの動作を示す流れ図である。  
乗場呼び登録部１５が乗場呼び入出力５から低速伝送路６を介して乗場呼び釦４が押されたことを検出すると（ステップＳ７０１）、乗場呼び検出部１８が、検出した乗場呼びの発生階と方向と段違い階２の情報から前記乗場呼びが段違い階２方向のものであると判断すると（Ｓ７０２）、特定エレベータ割当指示部２１ｃは、学習メモリ２８に記憶されている現在時刻が所属する曜日、時間帯（ｉｊ）のかご呼び登録率Ｒdij＝Ｃd／Ｆdを読出し、かご呼び登録率Ｒdijが所定かご呼び登録率Ｒdsを超える（Ｒdij＞Ｒds）場合（Ｓ７０３）、割当制御部１７に対して、乗場呼びを段違い階２のサービス可能なエレベータ９ｂ、９ｃに割当するよう指令を出力する。
【０１０８】
割当制御部１７は、段違い階２のサービス可能なエレベータ９ｂ、９ｃを評価し高速伝送路１０を介して何れかの最適なエレベータ９ｂ、９ｃに該当乗場呼びを割当てる（Ｓ７０４）。そして、乗場呼びが割当てられたエレベータ９ｂ（９ｃ）に対する新規発生した段違い階２方向以外の乗場呼びの割当禁止を行う（Ｓ７０５）。
【０１０９】
発生した乗場呼びが段違い階２方向でない場合には（Ｓ７０２）、乗場呼びが中抜け階３方向であるか判断し（Ｓ７０６）、中抜け階３方向の場合、特定エレベータ割当指示部２１ｃは、学習メモリ２８に記憶されている現在時刻が所属する曜日、時間帯（ｉｊ）のかご呼び登録率Ｒnij＝Ｃn／Ｆnを読出し、かご呼び登録率Ｒnijが所定かご呼び登録率Ｒnsを超える（Ｒnij＞Ｒns）場合（Ｓ７０７）、割当制御部１７に対して、乗場呼びを中抜け階３のサービス可能なエレベータ９ｃに割当するよう指令を出力する。
【０１１０】
割当制御部１７は、段違い階３のサービス可能なエレベータ９ｃを評価し高速伝送路１０を介して何れかの最適なエレベータ９ｃに割当を行う（Ｓ７０８）。そして、乗場呼びが割当てられたエレベータ９ｃに対する新規発生した中抜け階３方向以外の乗場呼びの割当禁止を行う（Ｓ７０９）。
【０１１１】
乗場呼びが段違い階２方向、中抜け階３方向でないときには割当制御部１７に対し通常の割当をするよう指令を出力する。割当制御部１７は３台のエレベータ９ａ、９ｂ、９ｃを評価し高速伝送路１０を介して何れかの最適のエレベータ９ａ、９ｂ、９ｃに割当指令を出力する（Ｓ７１０）。
【０１１２】
このように構成された第５実施形態のエレベータの群管理制御装置においては、各階で発生した段違い階２方向又は中抜け階３方向の乗場呼びの発生回数（Ｆd、Ｆn）に対する、該当乗場呼びに応答したエレベータ９ａ〜９ｃにて実際に段違い階２又は中抜け階３のかご呼びの発生回数（Ｃd、Ｃn）の割合を示すかご呼び登録率（Ｒdij＝Ｃd／Ｆd、Ｒnij＝Ｃn／Ｆn）が曜日（ｉ）、時間帯（ｊ）毎に学習されて学習メモリ２８に記憶保持されている。
【０１１３】
そして、各階で段違い階２方向又は中抜け階３方向の乗場呼びが発生すると、現在の曜日、時間帯（ｉｊ）におけるかご呼び登録率（Ｒdij＝Ｃd／Ｆd、Ｒnij＝Ｃn／Ｆn）が所定かご呼び登録率（Ｒds、Ｒns）を超えるときのみ、この乗場呼びが段違い階２又は中抜け階３にサービス可能な特定のエレベータ９ｂ、９ｃ、又はエレベータ９ｃに割当られる。したがって、先の各実施形態のエレベータの群管理制御装置と同様に、エレベータ全体のサービスを低下させることなく、段違い階２又は中抜け階３を目的階とする乗客に対するサービスを大幅に向上できる。
【図面の簡単な説明】
【０１１４】
【図１】本発明の第１実施形態に係わるエレベータの群管理制御装置が組込まれたエレベータシステムの概略構成図
【図２】同第１実施形態に係わるエレベータの群管理制御装置の詳細構成を示すブロック図
【図３】同実施形態に係わるエレベータの群管理制御装置の群管理処理動作を示す流れ図
【図４】本発明の第２実施形態に係わるエレベータの群管理制御装置の詳細構成を示すブロック図
【図５】同実施形態に係わるエレベータの群管理制御装置の群管理処理動作を示す流れ図
【図６】本発明の第３実施形態に係わるエレベータの群管理制御装置の詳細構成を示すブロック図
【図７】同実施形態に係わるエレベータの群管理制御装置の群管理処理動作を示す流れ図
【図８】本発明の第４実施形態に係わるエレベータの群管理制御装置の詳細構成を示すブロック図
【図９】同実施形態に係わるエレベータの群管理制御装置の群管理処理動作を示す流れ図
【図１０】同実施形態に係わるエレベータの群管理制御装置の割当変更処理動作を示す流れ図
【図１１】本発明の第５実施形態に係わるエレベータの群管理制御装置の詳細構成を示すブロック図
【図１２】同実施形態に係わるエレベータの群管理制御装置の学習処理動作を示す流れ図
【図１３】同実施形態に係わるエレベータの群管理制御装置の群管理処理動作を示す流れ図
【図１４】共通階、段違い階及び中抜け階が存在するビルの模式図
【図１５】従来のエレベータの群管理制御装置が組込まれたエレベータシステムの概略構成図
【符号の説明】
【０１１５】
１…共通階、２…段違い階、３…中抜け階、４…乗場呼び釦、６…低速伝送路、８ａ〜８ｃ…運転制御部、９ａ〜９ｃ…エレベータ、１０…高速伝送路、１２…かご呼び釦、１３…スピーカ、１４，１４ａ，１４ｂ，１４ｃ，１４ｄ…群管理制御部、１５…乗場呼び登録部、１６…かご呼び登録部、１７…割当制御部、１８…乗場呼び検出部、１９…階数判定部、２０，２０ａ，２０ｂ，２０ｃ…特定エレベータ割当指示部、２１…割当禁止部、２２…交通需要量算出部、２３…需要量判定部、２４…平均応答時間算出部、２５…割当変更部、２６…割当変更報知部、２７…かご呼び登録学習部、２８…学習メモリ
【図１】
2006160510.tif 000003
【図２】
2006160510.tif 000004
【図３】
2006160510.tif 000005
【図４】
2006160510.tif 000006
【図５】
2006160510.tif 000007
【図６】
2006160510.tif 000008
【図７】
2006160510.tif 000009
【図８】
2006160510.tif 000010
【図９】
2006160510.tif 000011
【図１０】
2006160510.tif 000012
【図１１】
2006160510.tif 000013
【図１２】
2006160510.tif 000014
【図１３】
2006160510.tif 000015
【図１４】
2006160510.tif 000016
【図１５】
2006160510.tif 000017